(57)【要約】【課題】複数の光源ランプ間の間隔を中央部で狭く端部に向かうにしたがって広くする等のように、種々なる光源ランプ間の間隔を設定するのに必要なランプホルダの種類を減らすことができるランプホルダを提供すること。【解決手段】ランプホルダ１３には、２本のＣＣＦＬ５を所定間隔Ｐ１を隔てて把持するランプ把持部１４ａ，１４ａを備えた第１ホルダ部１４と、第１ホルダ部１４のランプ把持部間の間隔Ｐ１とは異なる間隔Ｐ２を隔てて２本のＣＣＦＬ５を把持するランプ把持部１５ａ，１５ａを備えた第２ホルダ部１５とが、同一平面内で互いに交差する方向に設けられている。【選択図】図１
2008311003.tif 000002
【特許請求の範囲】
【請求項１】
複数本の光源ランプを所定間隔を隔てて把持するランプ把持部を備えた第１ホルダ部と、該第１ホルダ部のランプ把持部間の間隔とは異なる間隔を隔てて複数本の光源ランプを把持するランプ把持部を備えた第２ホルダ部とが、同一平面内で互いに交差する方向に設けられていることを特徴とするランプホルダ。
【請求項２】
前記第１ホルダ部および第２ホルダ部が備えるランプ把持部は、それぞれ２個ずつであることを特徴とする請求項１に記載のランプホルダ。
【請求項３】
前記第１ホルダ部と第２ホルダ部との交差位置には平面状のランプ収容面への取付部が更に設けられていることを特徴とする請求項１または２に記載のランプホルダ。
【請求項４】
前記第１ホルダ部および第２ホルダ部と同一平面内で、複数本の光源ランプを所定間隔を隔てて把持するランプ把持部を備えた第３ホルダ部が、更に交差する方向に設けられていることを特徴とする請求項１から３のいずれかに記載のランプホルダ。
【請求項５】
画像表示領域を有する表示パネルの背面に配置され、該表示パネルに照明光を照射するバックライトユニットにおいて、平面状のランプ収容面に多数本の光源ランプが列設され、複数本ずつの光源ランプがランプホルダにより把持され、該ランプホルダには、複数本の光源ランプを所定間隔を隔てて把持するランプ把持部を備えた第１ホルダ部と、該第１ホルダ部のランプ把持部間の間隔とは異なる間隔を隔てて複数本の光源ランプを把持するランプ把持部を備えた第２ホルダ部とが、同一平面内で互いに交差する方向に設けられており、把持される光源ランプ間の間隔に応じて該ランプホルダの第１ホルダ部と第２ホルダ部が選択的に用いられていることを特徴とするバックライトユニット。
【請求項６】
前記ランプホルダに設けられた前記第１ホルダ部および第２ホルダ部が備えるランプ把持部は、それぞれ２個ずつであることを特徴とする請求項５に記載のバックライトユニット。
【請求項７】
前記ランプホルダには、ランプ収容面への取付部を有し、該取付部を介して該ランプホルダはランプ収容面に取付られていると共に、該取付部は前記第１ホルダ部と第２ホルダ部との交差位置に設けられていることを特徴とする請求項５または６に記載のバックライトユニット。
【請求項８】
前記ランプホルダに設けられた前記第１ホルダ部および第２ホルダ部と同一平面内で、複数本の光源ランプを所定間隔を隔てて把持するランプ把持部を備えた第３ホルダ部が、更に交差する方向に設けられていると共に、把持される光源ランプ間の間隔に応じて該ランプホルダの第１ホルダ部、第２ホルダ部、第３ホルダ部が選択的に用いられていることを特徴とする請求項５から７のいずれかに記載のバックライトユニット。
【請求項９】
画像表示領域を有する表示パネルの背面側に、該表示パネルに照明光を照射するバックライトユニットが配置されてなる表示装置において、バックライトユニットには、平面状のランプ収容面に多数本の光源ランプが列設され、複数本ずつの光源ランプがランプホルダにより把持され、該ランプホルダには、複数本の光源ランプを所定間隔を隔てて把持するランプ把持部を備えた第１ホルダ部と、該第１ホルダ部のランプ把持部間の間隔とは異なる間隔を隔てて複数本の光源ランプを把持するランプ把持部を備えた第２ホルダ部とが、同一平面内で互いに交差する方向に設けられており、把持される光源ランプ間の間隔に応じて該ランプホルダの第１ホルダ部と第２ホルダ部が選択的に用いられていることを特徴とする表示装置。
【請求項１０】
前記ランプホルダに設けられた前記第１ホルダ部および第２ホルダ部が備えるランプ把持部は、それぞれ２個ずつであることを特徴とする請求項９に記載の表示装置。
【請求項１１】
前記ランプホルダには、ランプ収容面への取付部を有し、該取付部を介して該ランプホルダはランプ収容面に取付られていると共に、該取付部は前記第１ホルダ部と第２ホルダ部との交差位置に設けられていることを特徴とする請求項９または１０に記載の表示装置。
【請求項１２】
前記ランプホルダに設けられた前記第１ホルダ部および第２ホルダ部と同一平面内で、複数本の光源ランプを所定間隔を隔てて把持するランプ把持部を備えた第３ホルダ部が、更に交差する方向に設けられていると共に、把持される光源ランプ間の間隔に応じて該ランプホルダの第１ホルダ部、第２ホルダ部、第３ホルダ部が選択的に用いられていることを特徴とする請求項９から１１のいずれかに記載の表示装置。
【発明の詳細な説明】
【技術分野】
【０００１】
本発明は、液晶表示パネルの背面側に配置され、液晶表示パネルに光を照射するバックライトユニットに関し、更に詳しくはバックライトユニット内で複数本列設された光源ランプをランプ収容面上に支持するランプホルダに関する。
【背景技術】
【０００２】
近年、平面型の表示装置として液晶表示装置が広く用いられている。特にテレビ等に用いられる液晶表示装置には、画像が表示される液晶表示パネルと、その液晶の背面側に配置されたバックライトユニットが備えられている。バックライトユニットは、複数本のＣＣＦＬ（Cold Cathode Fluorescent Lamp：冷陰極型蛍光ランプ）などの光源ランプを備え、これら光源ランプから発せられる光の特性を調整して液晶表示パネルの背面側に照射するもので、照射された光は、液晶表示パネルを透過することにより、液晶表示パネルの前面側に画像が可視状態に表示される。
【０００３】
図７は、従来一般的に用いられている液晶表示装置の構造を概略的に示した図である。図示される液晶表示装置５０には、画像を表示する液晶表示パネル５１と、その背面側に配置されたバックライトユニット５２が備えられている。
【０００４】
浅底の箱形状を有するバックライトシャーシ５３の内部に列設された複数本のＣＣＦＬ５４からの光は、反射シート５５で反射された光と共に、光学シート５６、液晶表示パネル５１を透過して観察者側に視認される。このとき光学シート５６は、ＣＣＦＬ５４から液晶表示パネル５１に入射する光の特性を調整する。
【０００５】
図８は、バックライトユニット５２の正面図を示している。隣り合うＣＣＦＬ５４間の間隔は、下記特許文献１に開示されるように、液晶表示パネル５１の画面の中央部に置ける輝度を最も高くし、端部に向かうにしたがって輝度を徐々に低下させるように、中央部で狭く端部に向かうにしたがって広くなっている。これは人間の目には輝度ムラとして認識されないようにしつつ、従来よりもＣＣＦＬ５４の本数を減らすことができる方法として採用されている。
【０００６】
この場合、図示されるＣＣＦＬ５４は、下記特許文献２に開示されるようなランプホルダ５７，５８によりバックライトシャーシ５３のランプ収容面上で浮かせた状態で支持されている。管長が長いＣＣＦＬ５４は、両端部の電極部ホルダ５９，５９による支持だけでは、ＣＣＦＬ５４の位置精度が確保されないため、このようにＣＣＦＬ５４の中間部分がランプホルダ５７，５８によって支持されている。
【０００７】
この場合、ＣＣＦＬ５４の間隔を中央部で狭く端部に向かうにしたがって広くするために、図９（ａ）と図９（ｂ）に示されるような２種類のランプホルダ５７，５８が用いられている。ランプホルダ５７，５８は、長方形状のホルダ部６０，６１の両側に２個のランプ把持部６２，６２が設けられている。このランプ把持部６２は上方が開口した欠円形状を有しており、ＣＣＦＬ５４を把持することができようになっている。
【０００８】
また、把持部６２，６２の間には、棒状のシート支持ピン６３が突出して設けられており、シート支持ピン６３は、光学シート５６を反射シート５５に対して所定距離隔てて離間させる長さを有している。これにより上側に配置される光学シート５６の下方への撓みが防止されて輝度ムラが抑制されるようになっている。そして、これらのランプホルダ５７，５８は、ランプ把持部６２，６２の下に設けられた取付部６４，６４を、反射シート５５およびバックライトシャーシ５３に穿設された取付孔６５，６５に装着することで固定される。
【０００９】
【特許文献１】特開平６−７５２１６号公報
【特許文献２】特開２００１−２１０１２６号公報
【発明の開示】
【発明が解決しようとする課題】
【００１０】
しかしながら、複数本のＣＣＦＬ５４の間隔を中央部で狭く端部に向かうにしたがって広くするためには、図９（ａ）と図９（ｂ）に示されるようなランプ把持部６２，６２間の間隔が異なる２種類のランプホルダ５７，５８が必要であるため、バックライトユニット５２を構成する部品の数が増加してしまうという問題があり、製造コストを削減することが難しくなっていた。
【００１１】
そこで、本発明が解決しようとする課題は、複数本の光源ランプ間の間隔を中央部で狭く端部に向かうにしたがって広くする等のように、種々なる光源ランプ間の間隔を設定するのに必要なランプホルダの種類を減らすことができるランプホルダ、バックライトユニットおよび表示装置を提供することである。
【課題を解決するための手段】
【００１２】
上記課題を解決するため、本発明に係るランプホルダは、複数本の光源ランプを所定間隔を隔てて把持するランプ把持部を備えた第１ホルダ部と、該第１ホルダ部のランプ把持部間の間隔とは異なる間隔を隔てて複数本の光源ランプを把持するランプ把持部を備えた第２ホルダ部とが、同一平面内で互いに交差する方向に設けられていることを要旨とするものである。
【００１３】
この場合、第１ホルダ部および第２ホルダ部が備えるランプ把持部は、それぞれ２個ずつである構成にすると良い。また、第１ホルダ部と第２ホルダ部との交差位置には平面状のランプ収容面への取付部が更に設けられている構成にすると良い。更に、第１ホルダ部および第２ホルダ部と同一平面内で、複数本の光源ランプを所定間隔を隔てて把持するランプ把持部を備えた第３ホルダ部が、更に交差する方向に設けられている構成にすると良い。
【００１４】
また、上記課題を解決するため、本発明に係るバックライトユニットは、画像表示領域を有する表示パネルの背面に配置され、該表示パネルに照明光を照射するバックライトユニットであって、平面状のランプ収容面に多数本の光源ランプが列設され、複数本ずつの光源ランプがランプホルダにより把持され、該ランプホルダには、複数本の光源ランプを所定間隔を隔てて把持するランプ把持部を備えた第１ホルダ部と、該第１ホルダ部のランプ把持部間の間隔とは異なる間隔を隔てて複数本の光源ランプを把持するランプ把持部を備えた第２ホルダ部とが、同一平面内で互いに交差する方向に設けられており、把持される光源ランプ間の間隔に応じて該ランプホルダの第１ホルダ部と第２ホルダ部が選択的に用いられていることを要旨とする。
【００１５】
この場合、ランプホルダに設けられた第１ホルダ部および第２ホルダ部が備えるランプ把持部は、それぞれ２個ずつである構成にすると良い。また、ランプホルダには、ランプ収容面への取付部を有し、該取付部を介して該ランプホルダはランプ収容面に取付られていると共に、該取付部は第１ホルダ部と第２ホルダ部との交差位置に設けられている構成にすると良い。更に、ランプホルダに設けられた第１ホルダ部および第２ホルダ部と同一平面内で、複数本の光源ランプを所定間隔を隔てて把持するランプ把持部を備えた第３ホルダ部が、更に交差する方向に設けられていると共に、把持される光源ランプ間の間隔に応じて該ランプホルダの第１ホルダ部、第２ホルダ部、第３ホルダ部が選択的に用いられている構成にすると良い。
【００１６】
そして、上記課題を解決するため、本発明に係る表示装置は、画像表示領域を有する表示パネルの背面側に、該表示パネルに照明光を照射するバックライトユニットが配置されてなる表示装置であって、バックライトユニットには、平面状のランプ収容面に多数本の光源ランプが列設され、複数本ずつの光源ランプがランプホルダにより把持され、該ランプホルダには、複数本の光源ランプを所定間隔を隔てて把持するランプ把持部を備えた第１ホルダ部と、該第１ホルダ部のランプ把持部間の間隔とは異なる間隔を隔てて複数本の光源ランプを把持するランプ把持部を備えた第２ホルダ部とが、同一平面内で互いに交差する方向に設けられており、把持される光源ランプ間の間隔に応じて該ランプホルダの第１ホルダ部と第２ホルダ部が選択的に用いられていることを要旨とする。
【００１７】
この場合、ランプホルダに設けられた第１ホルダ部および第２ホルダ部が備えるランプ把持部は、それぞれ２個ずつである構成にすると良い。また、ランプホルダには、ランプ収容面への取付部を有し、該取付部を介して該ランプホルダはランプ収容面に取付られていると共に、該取付部は第１ホルダ部と第２ホルダ部との交差位置に設けられている構成にすると良い。更に、ランプホルダに設けられた第１ホルダ部および第２ホルダ部と同一平面内で、複数本の光源ランプを所定間隔を隔てて把持するランプ把持部を備えた第３ホルダ部が、更に交差する方向に設けられていると共に、把持される光源ランプ間の間隔に応じて該ランプホルダの第１ホルダ部、第２ホルダ部、第３ホルダ部が選択的に用いられている構成にすると良い。
【発明の効果】
【００１８】
上記構成を有するランプホルダによれば、複数本の光源ランプを所定間隔を隔てて把持するランプ把持部を備えた第１ホルダ部と、該第１ホルダ部のランプ把持部間の間隔とは異なる間隔を隔てて複数本の光源ランプを把持するランプ把持部を備えた第２ホルダ部とが、同一平面内で互いに交差する方向に設けられていることにより、１つのランプホルダの向きを変えるだけで、２種類の光源ランプ間の間隔に対応することができる。これにより光源ランプ間の間隔を中央部で狭く端部に向かうにしたがって広くする等のように、種々なる光源ランプ間の間隔を設定するのに必要なランプホルダの種類を減らすことができる。
【００１９】
この場合、第１ホルダ部および第２ホルダ部が備えるランプ把持部は、それぞれ２個ずつである構成にすれば、一般的な本数の光源ランプの配置に対応することができる。
【００２０】
また、第１ホルダ部と第２ホルダ部との交差位置には平面状のランプ収容面への取付部が更に設けられている構成にすれば、ランプ収容面に設けられる取付孔の数を少なくすることができるので、製造コストを削減することができる。
【００２１】
更に、第１ホルダ部および第２ホルダ部と同一平面内で、複数本の光源ランプを所定間隔を隔てて把持するランプ把持部を備えた第３ホルダ部が、更に交差する方向に設けられている構成にすれば、光源ランプの間隔を中央部で狭く端部に向かうにしたがって順に広くする場合に、光源ランプの間隔をより細かく設定することができ、光源ランプの本数が多い場合に対応することができる。
【００２２】
そして、このようなランプホルダを備えたバックライトユニットおよびこのバックライトを備えた表示装置によれば、把持される光源ランプ間の間隔に応じてランプホルダの第１ホルダ部と第２ホルダ部を選択的に用いるだけで、光源ランプ間の間隔を中央部で狭く端部に向かうにしたがって広く配置する場合のように、種々なる光源ランプ間の間隔に対応することができる。したがって、従来のように複数種類のランプホルダを用意する必要がないので、従来よりも製造コストを削減することができる上に、作業性も向上する。
【発明を実施するための最良の形態】
【００２３】
以下に、本発明に係るランプホルダ、バックライトユニットおよび表示装置の実施の形態について、図面を参照して詳細に説明する。図１は本発明の一実施形態に係る液晶表示装置の部分的な分解斜視図、図２はバックライトユニットの正面図、図３はランプホルダの外観斜視図を示している。尚、図１の分解斜視図は、図２の上半分の中央から右側に対応した部分の液晶表示パネルおよびバックライトユニットを示している。
【００２４】
図１に示されるように、液晶表示装置１には、液晶表示パネル２の背面側に配置されるバックライトユニット３が備えられている。液晶表示パネル２は、薄膜トランジスタ（ＴＦＴ）基板とカラーフィルタ（ＣＦ）基板からなる一対の基板が所定の間隙をおいて平行に対向配置され、その間隙に液晶が充填された構成をなしており、その背面側にはバックライトユニット３から光が照射されるようになっている。照射された光は、液晶表示パネル２を透過することにより、液晶表示パネル２の前面側に画像が可視状態に表示される。
【００２５】
液晶表示パネル２に光を照射するバックライトユニット３は、浅底の箱形状のバックライトシャーシ４を備えており、その内部のランプ収容面４ａには光源ランプとして直管型のＣＣＦＬ（Cold Cathode Fluorescent Lamp：冷陰極型蛍光ランプ）５が８本配列されている。この場合、隣り合うＣＣＦＬ５，５間の間隔は、図２に示されるように中央部で狭く、上下の端部に向かうに従って順次広くなっている。各ＣＣＦＬ５は、両端部に電極部ホルダ６，６が装着されて、バックライトシャーシ４に固定される。
【００２６】
ＣＣＦＬ５の上側には、光学シート７が配置されている。この光学シート７は、液晶表示パネル２にＣＣＦＬ５から入射される光および反射シート８から反射される光の特性を調整するために、拡散板、拡散シート、レンズシート、偏光反射フィルムなどの板状あるいはシート状の光学部材が積み重ねられたものである。光学シート７は、額縁形状を有したフレーム９によって、バックライトシャーシ４の載置面４ｆ，４ｇに固定される。
【００２７】
バックライトシャーシ４は、ランプ収容面４ａとなる底板部４ｃと長辺の側壁部４ｄが金属製板材の板金加工によって形成された部材１０と、短辺の側壁部４ｅが樹脂成型によって形成された部材１１，１１とで構成されている。このバックライトシャーシ４は、底板部４ｃにより形成されるランプ収容面４ａと、側壁部４ｄ，４ａの上端からそれぞれ外側に延出された載置面４ｆ，４ｇを有している。この載置面４ｆ，４ｇには、光学シート７が載置されてフレーム９により固定される。また。フレーム９の上面には液晶表示パネル２が載置されて額縁形状のベゼル１２により固定される。そして、ＣＣＦＬ５の下側には白色の反射シート８が布設されており、この反射シート８によりＣＣＦＬ５から反射シート８側に照射される光が液晶表示パネル２側に反射させられる。
【００２８】
尚、図示しないが、バックライトシャーシ４の背面には、ＣＣＦＬ５を駆動する高圧パルス電圧を発生させるインバータ回路基板と、液晶表示パネル２を制御するコントロール回路基板が取り付けられている。
【００２９】
ＣＣＦＬ５のランプ収容面４ａへの固定には、前述の電極部ホルダ６が用いられている他に、図示されるような、ＣＣＦＬ５の中間部分を把持するランプホルダ１３が用いられている。この場合、十字形状のランプホルダ１３の向きを９０度回転させた状態と回転させない状態を使い分けることにより、図２に示されるように上側から３本目と４本目および５本目と６本目のＣＣＦＬ５がそれぞれランプホルダ１３の第１ホルダ部１４に設けられた把持部１４ａ，１４ａにより把持され、上側から１本目と２本目および７本目と８本目のＣＣＦＬ５がそれぞれランプホルダ１３の第２ホルダ部１５に設けられた把持部１５ａ，１５ａにより把持されている。
【００３０】
図３（ａ）および図３（ｂ）に示されるように、白色または透明の合成樹脂より形成されたランプホルダ１３は、同一平面内で互いに直角に交差した第１ホルダ部１４と第２ホルダ部１５が設けられている。第１ホルダ部１４の平板状の基部１４ｂは、第２ホルダ部１５の同じく平板状の基部１５ｂよりも長さが短くなっており、第１ホルダ部１４の基部１４ｂの両端部にはランプ把持部１４ａ，１４ａが設けられている。これらランプ把持部１４ａ，１４ａは上方が開口した欠円形状を有しており、ＣＣＦＬ５をそれぞれ１本ずつ把持することができる。
【００３１】
この場合、ランプ把持部１４ａ，１４ａは基部１４ｂの長さ方向に対して直角な方向に向いており、図１および図３（ａ）に示されるように２本のＣＣＦＬ５間を所定のランプ把持間隔Ｐ１を隔てて把持する。
【００３２】
また、第２ホルダ部１５の基部１５ｂの両端部には、同じく上方が開口した欠円形状を有したランプ把持部１５ａ，１５ａが設けられている。この場合も、ランプ把持部１５ａ，１５ａは基部１５ｂの長さ方向に対して直角な方向に向いており、図１および図３（ｂ）に示されるように２本のＣＣＦＬ５間を第１ホルダ部１４のランプ把持間隔Ｐ１よりも長いランプ把持間隔Ｐ２を隔てて把持する。
【００３３】
第１ホルダ部１４のランプ把持部１４ａ，１４ａ位置の基部１４ｂの下側には取付部１３ａ，１３ａが設けられており、ＣＣＦＬ５が収容されるランプ収容面４ａの反射シート８およびバックライトシャーシ４に穿設された取付孔４ｈ，４ｈに取付部１３ａ，１３ａを嵌め込むことで、ランプホルダ１３が固定される。図３（ａ）に示されるように、２本のＣＣＦＬ５を第１ホルダ部１４を用いてランプ把持間隔Ｐ１で把持する場合は、取付孔４ｈ，４ｈは縦方向に配置される。また、図３（ｂ）に示されるように、２本のＣＣＦＬ５を第２ホルダ部１５を用いてランプ把持間隔Ｐ２で把持する場合は、取付孔４ｈ，４ｈは横方向に配置される。このように第１ホルダ部１４を用いる場合と第２ホルダ部１５を用いる場合とでは、取付孔４ｈ，４ｈの配置の向きが異なるので、ランプホルダ１３の取付方向を間違うおそれがなくなる。また、ランプホルダ１３の交差部１３ｂの上側には、棒状のシート支持ピン１３ｅが所定長さ突出して設けられており、このシート支持ピン１３ｅの上方に配置される光学シート７の下方への撓みを防止して輝度ムラが発生してしまうことが抑制されるようになっている。
【００３４】
このようにランプホルダ１３には、ランプ把持間隔Ｐ１を備えた第１ホルダ部１４と、この第１ホルダ部１４のランプ把持間隔Ｐ１とは異なるランプ把持間隔Ｐ２を備えた第２ホルダ部１５とが、同一平面内で互いに交差する方向に設けられているので、このランプホルダ１３の向きを変えるだけで、２本のＣＣＦＬ５間の間隔をランプ把持間隔Ｐ１およびランプ把持間隔Ｐ２の２種類に設定することができる。
【００３５】
したがって、従来ではＣＣＦＬ５間の間隔を中央部で狭く端部に向かうにしたがって広くするために２種類のランプホルダを用意する必要があったが、本発明のランプホルダ１３を用いれば１種類で済むことになる。これにより必要なランプホルダの種類を減らすことができ、それらの製造コストを削減することが可能になる。
【００３６】
また、把持される２本のＣＣＦＬ５間の間隔に応じてランプホルダ１３の第１ホルダ部１４と第２ホルダ部１５を選択的に用いるだけで、把持される２本のＣＣＦＬ５間の間隔を変更することができるので、バックライトシャーシ４へのＣＣＦＬ５の取付が行い易く作業性が向上する。
【００３７】
次に、上述したランプホルダの第１の変形例について図４を用いて説明する。尚、上述した実施の形態と同一の構成については同一の符号を付して説明は省略する。図４に示されるランプホルダ１６は、白色または透明の合成樹脂より形成されており、同一平面内で互いに直角に交差した第１ホルダ部１４と第２ホルダ部１５が設けられている。第１ホルダ部１４の平板状の基部１４ｂは、第２ホルダ部１５の平板状の基部１５ｂよりも長さが短くなっており、第１ホルダ部１４の基部１４ｂの両端部にはランプ把持部１４ａ，１４ａが設けられている。ランプ把持部１４ａ，１４ａ上方が開口した欠円形状を有しており、ＣＣＦＬ５をそれぞれ１本ずつ把持することができる。この場合、ランプ把持部１４ａ，１４ａは基部１４ｂの長さ方向に対して直角な方向に向いており、図４（ａ）に示されるように２本のＣＣＦＬ５間を所定のランプ把持間隔Ｐ１を隔てて把持する。
【００３８】
また、第２ホルダ部１５の基部１５ｂの両端部には、同じく上方が開口した欠円形状を有したランプ把持部１５ａ，１５ａ設けられている。この場合も、ランプ把持部１５ａ，１５ａは基部１５ｂの長さ方向に対して直角な方向に向いており、図４（ｂ）に示されるように２本のＣＣＦＬ５間を第１ホルダ部１４のランプ把持間隔Ｐ１よりも長いランプ把持間隔Ｐ２を隔てて把持する。
【００３９】
第１ホルダ部１４と第２ホルダ部１５の交差部１３ｂの下側には取付部１３ｃが設けられており、ＣＣＦＬ５が収容されるランプ収容面４ａの反射シート８およびバックライトシャーシ４に穿設された取付孔４ｉに取付部１３ｃを嵌め込むことで、ランプホルダ１６が固定される。また、ランプホルダ１６の交差部１３ｂの上側には、棒状のシート支持ピン１３ｅが所定長さ突出して設けられており、このシート支持ピン１３ｅの上方に配置される光学シート７の下方への撓みを防止して輝度ムラが発生してしまうことが抑制されるようになっている。
【００４０】
図４（ａ）および図４（ｂ）に示されるように、２本のＣＣＦＬ５を第１ホルダ部１４を用いてランプ把持間隔Ｐ１で把持する場合も、２本のＣＣＦＬ５を第２ホルダ部１５を用いてランプ把持間隔Ｐ２で把持する場合も、取付孔４ｉの配置は同じである。したがって、反射シート８およびバックライトシャーシ４に穿設する取付孔４ｉの数を上述した図３の取付孔４ｈ，４ｈの場合よりも少なくすることできるので、反射シート８およびバックライトシャーシ４に取付孔４ｉを穿設する加工時間が短縮され、その分製造コストが削減されるようになる。
【００４１】
このようなランプホルダ１６にも、ランプ把持間隔Ｐ１を備えた第１ホルダ部１４と、この第１ホルダ部１４のランプ把持間隔Ｐ１とは異なるランプ把持間隔Ｐ２を備えた第２ホルダ部１５とが、同一平面内で互いに交差する方向に設けられているので、このランプホルダ１６の向きを変えるだけで、２本のＣＣＦＬ５間の間隔をランプ把持間隔Ｐ１およびランプ把持間隔Ｐ２の２種類に設定することができる。これにより、従来ではＣＣＦＬ５間の間隔を中央部で狭く端部に向かうにしたがって広くするために２種類のランプホルダを用意する必要があったが、本発明のランプホルダ１６を用いれば１種類で済むことになる、これにより必要なランプホルダの種類を減らすことができ、それらの製造コストを削減することが可能になる。
【００４２】
そして、把持される２本のＣＣＦＬ５間の間隔に応じてランプホルダ１６の第１ホルダ部１４と第２ホルダ部１５を選択的に用い、その選択されたホルダ部１４，１５の向きになるようにランプホルダ１６をバックライトシャーシ４に取り付けることにより、２本のＣＣＦＬ５間の間隔を変更することができる。したがって、バックライトシャーシ４へのＣＣＦＬ５の取付が行い易く作業性が向上する。
【００４３】
次に、ランプホルダの第２の変形例について図５および図６を用いて説明する。尚、上述した実施の形態と同一の構成については同一の符号を付して説明を省略する。図５はバックライトユニットの正面図、図６はランプホルダの外観斜視図を示している。図５に示されるようにバックライトシャーシ４のランプ収容面４ａには直管型のＣＣＦＬ５が１２本配列されている。この場合、隣り合うＣＣＦＬ５，５間の間隔は、図示されるように中央部で狭く、上下の端部に向かうに従って順次広くなっている。
【００４４】
図５に示されるようにＣＣＦＬ５の中間部分を把持するランプホルダ１７は、この場合、上側から５本目と６本目及び７本目と８本目のＣＣＦＬ５を把持するランプホルダ１７の向きを基準にして左に９０度回転させた状態と、左に６０度回転させた状態の３種類の状態が使い分けられている。
【００４５】
図示されるように上側から５本目と６本目および７本目と８本目のＣＣＦＬ５がそれぞれランプホルダ１７の第１ホルダ部１４に設けられた把持部１４ａ，１４ａにより把持され、上側から３本目と４本目および９本目と１０本目のＣＣＦＬ５がそれぞれランプホルダ１７の第２ホルダ部１５に設けられた把持部１５ａ，１５ａにより把持され、上側から１本目と２本目および１１本目と１２本目のＣＣＦＬ５がそれぞれランプホルダ１７の第３ホルダ部１８に設けられた把持部１８ａ，１８ａにより把持されている。
【００４６】
図６に示されるように、白色または透明の合成樹脂より形成されたランプホルダ１７は、同一平面内で互いに直角に交差した第１ホルダ部１４と第２ホルダ部１５が設けられると共に、第２ホルダ１５に対して左に３０度（第１ホルダ１４に対して右に６０度）傾斜した第３ホルダ部１８が更に同一平面内で交差して設けられている。
【００４７】
第１ホルダ部１４の平板状の基部１４ｂは、第２ホルダ部１５の平板状の基部１５ｂよりも長さが短くなっており、第１ホルダ部１４の基部１４ｂの両端部にはランプ把持部１４ａ，１４ａが設けられている。ランプ把持部１４ａ，１４ａは上方が開口した欠円形状を有しており、ＣＣＦＬ５をそれぞれ１本ずつ把持することができる。これらランプ把持部１４ａ，１４ａは基部１４ｂの長さ方向に対して直角な方向に向いており、図６に示されるように２本のＣＣＦＬ５間を所定のランプ把持間隔Ｐ１を隔てて把持する。また、第２ホルダ部１５の基部１５ｂの両端部には、同じく上方が開口した欠円形状を有したランプ把持部１５ａ，１５ａ設けられている。この場合も、ランプ把持部１５ａ，１５ａは基部１５ｂの長さ方向に対して直角な方向に向いており、図６に示されるように２本のＣＣＦＬ５間を第１ホルダ部１４のランプ把持間隔Ｐ１よりも長いランプ把持間隔Ｐ２を隔てて把持する。
【００４８】
そして、ランプホルダ１７の第３ホルダ部１８の平板状の基部１８ｂは、第２ホルダ部１５の基部１５ｂよりも長さが長くなっており、この第３ホルダ部１８の基部１８ｂの両端部にはランプ把持部１８ａ，１８ａが設けられている。これらランプ把持部１８ａ，１８ａは、同様に上方が開口した欠円形状を有しており、ＣＣＦＬ５をそれぞれ１本ずつ把持することができる。これらランプ把持部１８ａ，１８ａは基部１８ｂの長さ方向に対して直角な方向に向いており、図６に示されるように２本のＣＣＦＬ５間を第２ホルダ部１５のランプ把持間隔Ｐ２よりも長いランプ把持間隔Ｐ３を隔てて把持する。
【００４９】
また、第１ホルダ部１４、第２ホルダ部１５および第３ホルダ部１８の交差部１３ｄの下側には図示しない取付部が設けられており、ＣＣＦＬ５が収容されるランプ収容面４ａの反射シート８およびバックライトシャーシ４に穿設された取付孔４ｊにこの取付部を嵌め込むことで、ランプホルダ１７が固定される。また、ランプホルダ１７の交差部１３ｄの上側には、棒状のシート支持ピン１３ｅが所定長さ突出して設けられており、このシート支持ピン１３ｅの上方に配置される光学シート７の下方への撓みを防止して輝度ムラが発生してしまうことが抑制されるようになっている。
【００５０】
２本のＣＣＦＬ５を第１ホルダ部１４を用いてランプ把持間隔Ｐ１で把持する場合は、図５に示されるように第１ホルダ部１４が縦方向になるように配置する。また、２本のＣＣＦＬ５を第２ホルダ部１５を用いてランプ把持間隔Ｐ２で把持する場合は、図５に示されるように第２ホルダ部１５が縦方向になるように配置する。そして、２本のＣＣＦＬ５を第３ホルダ部１８を用いてランプ把持間隔Ｐ３で把持する場合は、図５に示されるように第３ホルダ部１８が縦方向になるように配置する。
【００５１】
このようにランプホルダ１７には、ランプ把持間隔Ｐ１を備えた第１ホルダ部１４と、この第１ホルダ部１４のランプ把持間隔Ｐ１とは異なるランプ把持間隔Ｐ２を備えた第２ホルダ部１５と、更に、これらのランプ把持間隔Ｐ１，Ｐ２とは異なるランプ把持間隔Ｐ３を備えた第３ホルダ部１８とが、同一平面内で互いに交差する方向に設けられているので、このランプホルダ１７の向きを変えることにより、２本のＣＣＦＬ５間の間隔をランプ把持間隔Ｐ１、ランプ把持間隔Ｐ２およびランプ把持間隔Ｐ３の３種類に設定することができる。
【００５２】
したがって、図５に示される構成にするために従来では３種類のランプホルダを用意する必要があるが、本発明のランプホルダ１７を用いれば１種類で済むことになる。これにより必要なランプホルダの種類を減らすことができ、それらの製造コストを削減することが可能になる。また、把持される２本のＣＣＦＬ５間の間隔に応じてランプホルダ１７の第１ホルダ部１４、第２ホルダ部１５および第３ホルダ部１８を選択的に用いるだけで、２本のＣＣＦＬ５間の間隔を変更することができるので、バックライトシャーシ４へのＣＣＦＬ５の取付が行い易く作業性が向上する。
【００５３】
以上説明したランプホルダによれば、複数本の光源ランプを所定間隔を隔てて把持するランプ把持部を備えた第１ホルダ部と、その第１ホルダ部のランプ把持部間の間隔とは異なる間隔を隔てて複数本の光源ランプを把持するランプ把持部を備えた第２ホルダ部とが、同一平面内で互いに交差する方向に設けられていることにより、１つのランプホルダの向きを変えるだけで、２種類の光源ランプ間の間隔に対応することができる。また、第１ホルダ部および第２ホルダ部と同一平面内で、複数本の光源ランプを所定間隔を隔てて把持するランプ把持部を備えた第３ホルダ部が、更に交差する方向に設けられている構成にすれば、光源ランプの間隔を中央部で狭く端部に向かうにしたがって順に広くする場合に、光源ランプの間隔をより細かく設定することができ、光源ランプの本数が多い場合に対応することができる。
【００５４】
そして、このようなランプホルダを備えたバックライトユニットおよびこのバックライトを備えた表示装置によれば、把持される光源ランプ間の間隔に応じてランプホルダに設けられた複数のホルダ部を選択的に用いることで、種々なる光源ランプ間の間隔に対応することができ、従来のように複数種類のランプホルダを用意する必要がないので、従来よりも製造コストを削減することができる上に、作業性も向上する。
【００５５】
以上、本発明に係るランプホルダ、バックライトユニット、表示装置の実施の形態について説明したが、本発明はこうした実施形態に何ら限定されるものではなく、本発明の要旨を逸脱しない範囲において、種々なる態様で実施できることは勿論である。光源ランプとして直管型のＣＣＦＬ（Cold Cathode Fluorescent Lamp：冷陰極型蛍光ランプ）を用いて説明したが、Ｕ字型のＣＣＦＬや、ランプの端部においてガラス管の外側に形成された電極を持つＥＥＦＬ（External Electrode Fluorescent Lamp）と呼ばれる外部電極型の蛍光ランプにも適用することができる。
【図面の簡単な説明】
【００５６】
【図１】本発明の一実施形態に係る液晶表示装置の概略構成を部分的に示した分解斜視図である。
【図２】図１の液晶表示装置が備えるバックライトユニットの正面図である。
【図３】（ａ）は２本のＣＣＦＬをランプホルダの第１ホルダ部で把持する場合のランプホルダを示した外観斜視図、（ｂ）は２本のＣＣＦＬをランプホルダの第２ホルダ部で把持する場合のランプホルダを示した外観斜視図である。
【図４】第１の変形例のランプホルダを示した図であり、（ａ）は２本のＣＣＦＬをランプホルダの第１ホルダ部で把持する場合のランプホルダを示した外観斜視図、（ｂ）は２本のＣＣＦＬをランプホルダの第２ホルダ部で把持する場合のランプホルダを示した外観斜視図である。
【図５】第２の変形例のランプホルダが用いられているバックライトユニットの正面図である。
【図６】第２の変形例のランプホルダを示した外観斜視図である。
【図７】従来用いられてきた液晶表示装置の概略構成を示した分解図である。
【図８】図７の液晶表示装置が備えるバックライトユニットの正面図である。
【図９】図７のバックライトユニットに用いられるランプホルダを示しており、（ａ）は２本のＣＣＦＬを所定の間隔を隔てて把持するランプホルダの外観斜視図、（ｂ）は２本のＣＣＦＬを（ａ）の場合よりも長い間隔を隔てて把持するランプホルダの外観斜視図を示している。
【符号の説明】
【００５７】
１  液晶表示装置
２  液晶表示パネル
３  バックライトユニット
４  バックライトシャーシ
４ａ  ランプ収容面
４ｈ，４ｉ，４ｊ  取付孔
５  ＣＣＦＬ（光源ランプ）
１３  ランプホルダ
１３ａ  取付部
１３ｂ  交差部
１３ｅ  シート支持ピン
１４  第１ホルダ部
１４ａ  ランプ把持部
１５  第２ホルダ部
１５ａ  ランプ把持部
１８  第３ホルダ部
１８ａ  ランプ把持部
Ｐ１，Ｐ２，Ｐ３  ランプ把持間隔
【図１】
2008311003.tif 000003
【図２】
2008311003.tif 000004
【図３】
2008311003.tif 000005
【図４】
2008311003.tif 000006
【図５】
2008311003.tif 000007
【図６】
2008311003.tif 000008
【図７】
2008311003.tif 000009
【図８】
2008311003.tif 000010
【図９】
2008311003.tif 000011